(57)【要約】      （修正有）【課題】メインラインとリーダーの締結にＦＧノット、ＰＲノット等の第一の結束を行った場合でも、環体に対して形成したノットを行った場合でも、誰もが安定して正確なハーフヒッチを行うことができ、ルアーの環体等に対してもハーフヒッチが安定して行え、軽量コンパクトなハーフヒッチ補助具の提供。【解決手段】前端部及び後端部にラチェット機構部５を有する把持枠１と、前端部のラチェット機構に接続される第一腕部２と、後端部のラチェット機構に接続される第二腕部３と、該第二腕部３の上端部に設けられるフック４と、第一腕部２の中央位置より上方となる位置に設けられる第一釣用ライン保持部６と、第二腕部３の中央位置より上方となる位置に設けられる第二釣用ライン保持部７を備え、フック４は向きの異なる複数のフックとし、且つ、該フック４は第二腕部３の先端部に備えた。【選択図】図１
0003203090.tif 000002
【実用新案登録請求の範囲】
【請求項１】
前端部及び後端部にラチェット機構部を有する把持枠と、前端部のラチェット機構に接続される第一腕部と、後端部のラチェット機構に接続される第二腕部と、該第二腕部の上端部に設けられるフックと、前記第一腕部の中央位置より上方となる位置に設けられる第一釣用ライン保持部と、前記第二腕部の中央位置より上方となる位置に設けられる第二釣用ライン保持部を備え、前記フックは向きの異なる複数のフックとし、且つ、該フックは腕部の先端部に備えたことを特徴とするハーフヒッチ補助具。
【請求項２】
前記ラチェット機構部の底面を平滑面とし、前記把手枠の前端及び後端から釣用ライン保持部を立設したことを特徴とする請求項１記載のハーフヒッチ補助具。
【請求項３】
前記把手枠は、その側面に連続する波状の起伏を備えたことを特徴とする請求項１又は２記載のハーフヒッチ補助具。
【請求項４】
ラチェット機構部の切替レバーが前記波状の起伏の凹部若しくは当該起伏の凸部から凹部に至る傾斜位置に配置されることを特徴とする請求項３記載のハーフヒッチ補助具。
【考案の詳細な説明】
【技術分野】
【０００１】
本考案は、主として釣用ラインの結束に際して当該釣用ラインの端部処理に用いられる結束方法であるハーフヒッチを行うためのハーフヒッチ補助具に関する。
【背景技術】
【０００２】
近年、ソルトルアーフィッシング等の仕掛けにおいて使用する釣用ラインは、使用時の強度や飛距離を確保したり、水抵抗を軽減するため、メインラインとして強度のある細めのＰＥライン等を使用し、またルアー等への締結にはより太めのリーダーを使用して、これらを締結した構成とすることが行われる。
【０００３】
このメインラインとリーダーの締結には、例えば、ＦＧノット、ＰＲノット（パックライトノット）、ノーネームノット等といったいわゆる摩擦系ノットとよばれる種々の締結方法が用いられる。
そして、これらの締結方法を用いた第一の結束を行った後、その端部をより強固に処理するために、補助的な第二の結束としてハーフヒッチが行われる。
【０００４】
釣用ラインを挟持して釣用ライン相互の結束を行う補助具として、例えば、略ハの字型に配列され、互いに連結された内端部を中心として、外端部同士が接近する閉位置と外端部同士が離反する開位置との間で回動可能な一対のアームと、前記一対のアーム間に装填されて、各アームを前記開位置に向けて付勢するアームばねと、前記一対のアームの内端部および外端部にそれぞれ設けられ、ほぼ平坦な座面を有する座部と、前記各座部の座面上にそれぞれ立設された、釣糸を巻きつけ可能な糸巻き軸と、前記各座部の座面に対向して設けられ、前記糸巻き軸に巻き付けられた釣糸を前記座面とで挟み込むピンチ位置と、その釣糸の挟み込みを解除するリリース位置との間で、座面に対し接近および離反可能な挟持体と、を備え、  前記各糸巻き軸は、その軸方向にスライド可能に前記各座部の座面上に立設されており、前記各挟持体は前記各糸巻き軸の端部に固定され、前記糸巻き軸の軸方向へのスライドにより前記ピンチ位置とリリース位置との間で移動可能であり、前記各糸巻き軸は、前記座部をその座面から裏面にかけて貫通しており、前記各糸巻き軸の前記座部の裏面側の端部には、前記座部の裏面に対向し、かつ糸巻き軸の軸心と垂直な軸線周りに回動可能な操作体が取り付けられており、前記座部の裏面と前記操作体との対向面には、それぞれ嵌合凹凸部が形成されており、前記操作体を正転および反転させると、隣接する前記嵌合凹凸部同士のカム作用により、前記糸巻き軸はその軸方向の順方向および逆方向にスライドし、かつその嵌合凹凸部同士の嵌り合いおよび嵌り合いの解除により、前記挟持体は前記ピンチ位置およびリリース位置で固定される、釣糸結束補助具が公知である（例えば、特許文献１参照。）。
【０００５】
また、ハーフヒッチへの対応を開示するものとして、比較的太い釣り糸であるリーダーの表面周りに、比較的細い釣り糸であるメインラインを編み付けて結線する際に用いる補助具であって、結線補助具本体にメインラインを縦方向に張架するための一対のアームを上下に設け、上下の各アームには非弾性の平面視くの字の形をした剛性板を用い、各アームを可動可能な状態で支持するアーム支持部をリーダーとメインラインを編み付ける位置に近接する形で結線補助具本体に設け、張架するメインラインの先端側（支線側）と本線側の巻止部を含むメインライン係止部を各アームの先端に設け、各アームにてメインラインを張架するために、各アーム中間部くの字形の折れ曲がり部分付近に引張コイルバネを各アームが引き合う形に設けるか、各アーム支持部付近にメインラインを張架するためのねじりコイルバネを各アームと前記結線補助具本体との間に復元力が発生するように設け、結線補助具本体には張架したメインラインと直交させた状態でリーダーの本線側を係止するための巻止部を含むリーダー係止部を設け、上下の各アーム先端のメインライン係止部との間で緊張状態に保持され張架されているメインラインとリーダー係止部に固定されたリーダーの編み付け作業を両手だけで行えることを特徴とする釣り糸の結線補助具が公知である（例えば、特許文献２参照。）。
【０００６】
また本出願に係る発明者が先にした発明として、把手枠と、該把手枠の前端及び後端に夫々交差して設けられる釣用ライン保持部とを備え、把手枠は、少なくとも前記一方の腕部をその長軸中心軸を基準として正転、逆転の切り替えを許容させるレバーを備えるラチェット機構を有し、他方の腕部の基端近傍には、前記一方の腕部に向けて延設される一本のシングルフックを備えたハーフヒッチ補助具が公知である（例えば、非特許文献１参照。）。
【先行技術文献】
【特許文献】
【０００７】
【特許文献１】特許第５８３０３７２号
【特許文献２】特許第５６７１７４１号
【非特許文献】
【０００８】
【非特許文献１】ＳＯＬＴ  ＷＡＴＥＲＢＯＹ‘Ｓ  Ｆｉｓｈｅｒｍｅｎ’ｓＭａｒｉｎｅ  Ｇａｍｅ  Ｊａｐａｎ、［ｏｎｌｉｎｅ］、［平成２７年１２月２２日検索］、インターネット＜ＵＲＬ：ｈｔｔｐ：／／ｓｗｂｏｙｓ／ｐｃ／ｂｎ２０１１＝０５．ｈｔｍｌ＞
【考案の概要】
【考案が解決しようとする課題】
【０００９】
上記特許文献１に係る釣糸結束補助具は、釣用ラインを挟持する構成を開示する。
しかしながら、当該構成によれば、メインラインとリーダーを結束する第一の結束においての利便性を図るものであり、その後のハーフヒッチへの対応について利便性を有するものではなかった。
【００１０】
また上記特許文献２に係る釣り糸の決選補助具は、ハーフヒッチへの対応を開示するが、ハーフヒッチを行う際には、結び目を上下交互に連続して複数回（例えば５回〜１０回程度）繰り返して形成されるところ、各結び目を上下交互に形成することで結び目の位置が徐々に変化し、だいにアームに手が干渉して操作が行い難くなることが想定される。また、形成位置の変化に伴って各結び目の形成についての条件が変わることになり、より正確なハーフヒッチの形成が阻害されることが想定される。
【００１１】
更に、上記いずれの文献に係る補助具においても、例えばルアーの先端部等の環体に対して形成されたノットに対してはハーフヒッチを行うことができない。
【００１２】
非特許文献１に係るハーフヒッチ補助具は、シングルフックを備えることで、当該シングルフックに対してルアー等の環体を引掛け、その環体に対してさきにされた第一の結束に対して、ハーフヒッチを組むことができ、またラチェット機構を備えたことで、ハーフヒッチを組む位置を、常に対向する腕部間の中央位置に配置することができる点で、優れたものである。
【００１３】
しかしながら、ラチェット構造を設けるために、把手枠と、該把手枠の前端及び後端に夫々交差して設けた構成であることから、大柄となりやすいものであった。
また、フックに環体を掛止させた後に利き腕の関係から、簡単に環体が外れることがあり、問題であった。
【００１４】
本考案は以上の事情に鑑みてなされたものであり、特にメインラインとリーダーの締結にＦＧノット、ＰＲノット等の第一の結束を行った場合でも、環体に対して形成したノットを行った場合でも、誰もが安定して正確なハーフヒッチを行うことができ、またルアーの環体等に対してもハーフヒッチが安定して行え、軽量コンパクトな優れたハーフヒッチ補助具の提供を、考案が解決しようとする課題とする。
【課題を解決するための手段】
【００１５】
本考案は、前端部及び後端部にラチェット機構部を有する把持枠と、前端部のラチェット機構に接続される第一腕部と、後端部のラチェット機構に接続される第二腕部と、該第二腕部の上端部に設けられるフックと、前記第一腕部の中央位置より上方となる位置に設けられる第一釣用ライン保持部と、前記第二腕部の中央位置より上方となる位置に設けられる第二釣用ライン保持部を備え、前記フックは向きの異なる複数のフックとし、且つ、該フックは腕部の先端部に備えたことを特徴とするハーフヒッチ補助具を、上記課題を解決するための手段とする。
【００１６】
また本考案は、上記考案の構成に加えて、ラチェット機構部の底面を平滑面としたことを特徴とするハーフヒッチ補助具を、上記課題を解決するための手段とする。
【００１７】
また本考案は上記いずれかの考案の構成に加えて、把手枠は、その側面に連続する波状の起伏を備えたことを特徴とするハーフヒッチ補助具を、上記課題を解決するための手段とする。
【００１８】
また本考案は上記考案の構成を前提として、ラチェット機構部の切替レバーが前記波状の起伏の凹部若しくは当該起伏の凸部から凹部に至る傾斜位置に配置されることを特徴とするハーフヒッチ補助具を、上記課題を解決するための手段とする。
【考案の効果】
【００１９】
本考案によれば、ラチェット機構部を備えたことで、誰でも簡単に規則正しいハーフヒッチを行うことを前提とした上に、ラチェット機構部を有する上に把手枠の前端及び後端から対向して立設される釣用ライン保持部を備えた構成によって、コンパクトな構造とすることができる。
【００２０】
また、フックを備える構成を前提として、向きの異なる複数のフックを備えたから、右利き、左利きを問わず、該フックからルアー等の環体が不慮に外れることもない。そして、該フックが腕部の先端部側に備えた構成を有することで、フックが手指等と緩衝し難くなり、操作性を向上させることができる。
【００２１】
また本考案によれば、上記何れかの構成に加えて、前記把手枠は、その側面に連続する波状の起伏を備えたことから、上記何れかの作用効果を奏する上に、把手枠を把持し易く、不慮の落下を防止し、操作性の良好なハーフヒッチ補助具とすることができる。
【００２２】
また本考案によれば、上記考案を前提として、ラチェット機構部の切替レバーが前記波状の起伏の凹部若しくは当該起伏の凸部から凹部に至る傾斜位置に配置されることから、
上記考案の作用効果を奏する上に、当該起伏に沿って指をスライドさせるだけで、簡単に切替レバー操作が行えるため、操作性を著しく向上させることができる。
【図面の簡単な説明】
【００２３】
【図１】本考案の実施例に係るハーフヒッチ補助具の（ａ）平面図、（ｂ）正面図である。
【図２】本考案の実施例に係るハーフヒッチ補助具の（ａ）底面図、（ｂ）ハーフヒッチ補助具におけるダブルフックの正面図（ｃ）同ダブルフックの正面図である。
【図３】本考案の実施例に係るハーフヒッチ補助具の（ａ）右側面図、（ｂ）左側面図である。
【図４】本考案の実施例に係るハーフヒッチ補助具の第二釣用ライン保持部にリーダーを挟持させた状態を示す説明図である。
【図５】本考案の実施例に係るハーフヒッチ補助具の第一釣用ライン保持部にメインラインを挟持させた状態を示す説明図である。
【図６】本考案の実施例に係るハーフヒッチ補助具の切替レバーを押し、第一腕部を回転させ釣用ラインを引張させた状態を示す説明図である。
【図７】本考案の実施例に係るハーフヒッチ補助具に保持した釣用ラインに第二の締結（ハーフヒッチ）を形成した状態を示す説明図である。
【図８】本考案の実施例に係るハーフヒッチ補助具に保持した釣用ラインにおける残余部分を削除した状態を示す説明図である。
【図９】本考案の実施例に係るハーフヒッチ補助具のダブルフックに、第一の締結を行った環体を掛止させた状態を示す説明図である。
【図１０】本考案の実施例に係るハーフヒッチ補助具の第一釣用ライン保持部にメインラインを挟持させた状態を示す説明図である。
【図１１】本考案の実施例に係るハーフヒッチ補助具の切替レバーを押し、第一腕部を回転させ釣用ラインを引張させた状態を示す説明図である。
【図１２】本考案の実施例に係るハーフヒッチ補助具に保持した釣用ラインに第二の締結（ハーフヒッチ）を形成した状態を示す説明図である。
【図１３】本考案の実施例に係るハーフヒッチ補助具に保持した釣用ラインにおける残余部分を削除した状態を示す説明図である。
【考案を実施するための形態】
【００２４】
以下に、本考案の実施例に係るハーフヒッチ補助具について説明する。尚、本考案  は以下の実施例に限定されるものではなく、本考案の技術的思想を逸脱しない範囲において種々の設計変更した形状、構造、組合せに及ぶ。
【実施例】
【００２５】
本実施例に係るハーフヒッチ補助具は、図１から図３に示すように、基本構成として、前端部及び後端部にラチェット機構部を有する把持枠１と、前端部のラチェット機構５に接続される第一腕部２と、後端部のラチェット機構５に接続される第二腕部３と、該第二腕部３の上端部に設けられるダブルフック４と、前記第一腕部２の中央位置より上方となる位置に設けられる第一釣用ライン保持部６と、前記第二腕部３の中央位置より上方となる位置に設けられる第二釣用ライン保持部７を備える。
【００２６】
前記把持枠１は上下二枚のアルミ製のプレート１０、１１と、該プレート１０、１１間に保持されるラチェット機構部５を備える。当該把持枠１の前端側、後端側の各ラチェット機構部５は同一の構造を備える。
上下の各プレート１０、１１は前端及び後端は平面視円形状とし、その円形中心を基準した軸体保持穴１３、１４、１５、１６を有する。また各プレート１０、１１の側面は前記前端及び後端と最大幅が略同一となる波形状としてある。
【００２７】
ラチェット機構部５は、下端側に外周歯５０を有する軸体５４と、該軸体５４に対する係止歯５１０を有し且つプレート１０、１１にピン５２で枢着される切替レバー５１と、該切替レバー５１を押圧するコイルばね５５及び押圧体５６と、当該コイルばね５５及び押圧体５６をガイドするための保持空間を形成するスペーサ１２を備えている。
【００２８】
前記スペーサ１２は、外方に前記プレート１０、１１の縁に沿うリブ１２ａ、１２ｂを有しており、上下のプレート１０、１１と嵌合する。また前記保持空間を形成するための保持空間形成凹部１２１を備えている。
【００２９】
腕部は、第一腕部２、第二腕部３のいずれにおいても、前記ラチェット機構部５の軸体５４と、該軸体５４の外周面に固着されるグリップ部材５３を備える。該グリップ部材５３の上端及び下端に当接してリング部材２０、２１、３０、３１を設けている。上端側のリング部材２０、３０上には固定螺子２２、３２を設け前記軸体５４の上端に形成した雌螺子５４０と螺合させ、前記上端側のリング部材２０、３０を狭着している。
下端側のリング部材２１、３１は、グリップ部材５３が直接プレート１０と摺接することによる摩耗を防止する。
【００３０】
また、グリップ部材５３の長手中央位置より先端寄りとなる位置に、釣用ライン保持部を設けている。第一腕部２に取付けられた釣用ライン保持部を第一釣用ライン保持部６、第二腕部３に取り付けられた釣用ライン保持部を第二釣用ライン保持部７とする。これらの釣用ライン保持部６、７は、弾性を有するＯリング６０、６１、７０、７１を上下に当接して配置してある。本実施例においては、プレート１０の上面位置から当該二枚のＯリングの間までの距離を約２５ｍｍとしている。
【００３１】
本実施例に係る第二腕部３には、前記上端側のリング部材３０と固定螺子３２との間にワッシャ３３及びフック部材を備えている。フック部材は一本の線材によって形成される左右対称なフックを有するダブルフック４であり、その基端は概ね環状となる固定環部４１を有する。
前記固定螺子３２の雄係合子が平ワッシャ４２、当該ダブルフック４の固定環部４１、上端側のリング部材３０を順次連通させ、前記雌螺子と螺合させた構成となる。
ダブルフック４はその使用時において第一腕部２に向かう前方向きとして固定される。
一方で、第二腕部３の固定螺子３２を緩めることで、ダブルフック４の向きを、前記固定螺子３２を中心として回動させ任意の位置で固定することができる。
【００３２】
ラチェット機構部５を備えることで、切替レバー５１の左端を押し込むと前記コイルばね５５に付勢された押圧体５６によってその状態が保持され、切替レバー５１の左側の係止歯５１０が軸体５４の外周歯５０と噛合し、腕部２、３の右回転を許容するとともにその左回転を阻止する。また、切替レバー５１の右端を押し込むと前記コイルばね５５に付勢された押圧体５６によってその状態が保持され、切替レバー５１の右側の係止歯５１０が軸体５４の外周歯５０と噛合し、腕部２、３の左回転を許容するとともにその右回転を阻止する。
【００３３】
以上の構成を有する本考案の実施例に係るハーフヒッチ補助具Ｓの使用方法を、図４から図８を参照しつつ、以下に説明する。
【００３４】
メインラインＭであるＰＥラインとリーダーＬを結束する第一の結束としてＰＲノットが施された釣用ラインを用いる例について説明する。
【００３５】
（ａ）図４に示すように、ＰＥライン（メインラインＭ）を、第二釣用ライン保持部７に２巻き程度挟持させる。この際に、ＰＲノットの結束位置が第一腕部２と第二腕部３との間の中間位置に配置する。
（ｂ）次に、図５に示すように、第一釣用ライン保持部６にリーダーＬを２巻き程度挟持させる。
（ｃ）図６に示すように、前端側の切替レバー５１の左端を押し込み、第一腕部２を右回転させ、釣用ラインを引張状態とする。
（ｄ）図７に示すように、ＰＥラインの端線をリーダーＬに対してハーフヒッチにより編み付ける。
ハーフヒッチは、リーダーＬに対して下側からＰＥラインをくぐらせ輪を形成して当該ＰＥラインの端部を当該輪に通して、手前（即ち、第二釣用ライン保持部７側）へ締込み、次いでリーダーＬに対して上側からＰＥラインをくぐらせ輪を形成して当該ＰＥラインの端部を当該輪に通して、手前へ締込む。この作業を５回から１０回程度繰り返すことにより行う。
更にＰＥラインの端線をＰＥラインに対してハーフヒッチにより編み付ける。ハーフヒッチは同様に、５回から１０回程度繰り返す。
（ｅ）その後、図８に示すように、ＰＥラインの後端部Ｍ１とリーダーＬの後端部Ｌ１の残余部分をカットする。
【００３６】
上記（ｄ）におけるハーフヒッチにおいて、作業を繰り返すうちにノットの形成位置が前方へ移動すると作業性が低下するとともに締込みの程度にばらつきを生じやすくなる。
このため形成されたハーフヒッチが第一釣用ライン保持部６と第二釣用ライン保持部７の中間位置となるように、各ラチェット機構部５を用いて、第一腕部２及び／又は第二腕部３を回転させて、当該ノットの形成位置を修正する。
【００３７】
上記操作によって、実施例に係るハーフヒッチ補助具Ｓを用いたハーフヒッチの組み付けが可能となる。特に船上では、揺れや風、雨、波飛沫といった種々の環境や手袋を装着しての作業がされるところ、本実施例に係るハーフヒッチ補助具Ｓを用いることで、誰でも簡単にきれいにハーフヒッチを組むことができる利点がある。
【００３８】
次に、釣用ラインと環体８とのハーフヒッチを行う例について図９から図１３を参照しつつ、説明する。
【００３９】
（ａ）先ず環体８に対して第一の結束を行う。
（ｂ）図９に示すように、第二腕部３に設けたダブルフック４の一方に環体８を掛止させる。
（ｃ）図１０に示すように、第一腕部２に設けた第一釣用ライン保持部６に対して釣用ラインを２巻程度挟持させる。
（ｄ）図１１に示すように、切替レバー５１の左端を押込み（締付側への回動（右回転）を可能とする。
（ｅ）第一腕部２を右回転させ釣用ラインを引張状態とする。
（ｆ）図１２に示すように、釣用ラインに対して当該釣用ラインの端部をハーフヒッチにより組み付ける。その後、図１３に示すように、残余の釣用ラインをカットする。
（ｇ）ハーフヒッチを組み上げた後、切替レバー５１を解除し、第一釣用ライン保持部６から釣用ラインを取り外して終了する。
【００４０】
本実施例においては、上記したように、プレート１０の上面位置から当該二枚のＯリングの間までの距離を約２５ｍｍとしているが、本考案においては上記実施例に限定されるものではない。例えば、プレートの上面位置から２０ｍｍ程度〜４０ｍｍ程度の範囲で設定することが適している。
２０ｍｍ未満の場合には、操作中に指が把持枠に干渉し、作業性が劣る他、安全面での問題が生じる。またプレート上面からＯリングの中間位置までが４０ｍｍ程度を超えると、腕部の撓りが大きくなり易く強度が低下することが想定される。
【００４１】
上記実施例においては、ダブルフックを用いたが本考案は当該構成に限定されるものではなく、例えば、シングルフックを第一腕部２と第二腕部３の夫々に設ける構成とすることもできる。
【００４２】
また上記実施例においては、ラチェット機構はいわゆる小判型の一枚爪のものとしたが、本考案は当該構成に限定されず、種々の公知のラチェット機構部とすることができる。
【符号の説明】
【００４３】
Ｋ１      第一の結束
Ｋ２      ハーフヒッチ
Ｌ        リーダー
Ｌ１      後端部
Ｍ        メインライン（ＰＥライン）
Ｍ１      後端部
Ｓ        ハーフヒッチ補助具
１        把持枠
１０      プレート
１１      プレート
１２      スペーサ
１２ａ    リブ
１２ｂ    リブ
１３      軸体保持穴
１４      軸体保持穴
１５      軸体保持穴
１６      軸体保持穴
２        第一腕部
２０      リング部材
２１      リング部材
２２      固定螺子
３        第二腕部
３０      リング部材
３１      リング部材
３２      固定螺子
３３      ワッシャ
４        ダブルフック
４１      固定環部
４２      平ワッシャ
５        ラチェット機構部
５０      外周歯
５１      切替レバー
５１０    係止歯
５２      ピン
５３      グリップ部材
５４      軸体
５５      コイルばね
５６      押圧体
６        第一釣用ライン保持部
７        第二釣用ライン保持部
８        環体
【図１】
0003203090.tif 000003
【図２】
0003203090.tif 000004
【図３】
0003203090.tif 000005
【図４】
0003203090.tif 000006
【図５】
0003203090.tif 000007
【図６】
0003203090.tif 000008
【図７】
0003203090.tif 000009
【図８】
0003203090.tif 000010
【図９】
0003203090.tif 000011
【図１０】
0003203090.tif 000012
【図１１】
0003203090.tif 000013
【図１２】
0003203090.tif 000014
【図１３】
0003203090.tif 000015